(57)【要約】【課題】事業所間の移動に要する交通費の申請を、交通機関に設置された装置と連携することなく、効率的に行うこと。【解決手段】本発明において、端末は、予め決められた複数の場所のいずれかへの入場時に、入場および場所を識別する入場情報と、端末識別情報と、を交通費申請サーバに送信し、複数の場所のいずれかからの退場時に、退場および場所を識別する退場情報と、端末識別情報と、を交通費申請サーバに送信する。交通費申請サーバは、複数の場所間の交通費を登録した交通費データベースと、端末識別情報に対応付けて、端末識別情報と共に受信した入場情報および退場情報を記憶する記憶部と、を具備する。交通費申請サーバは、退場情報を記憶した後、退場情報と同一の端末識別情報に対応付けて入場情報を記憶した場合、交通費データベースを参照し、入場情報および退場情報で識別される場所間の交通費を決定し、決定した交通費を経理サーバに申請する。【選択図】図１
2015170346.tif 000002
【特許請求の範囲】
【請求項１】
予め決められた複数の場所間を移動する利用者が携帯する端末と、
前記複数の場所間の移動に要する交通費を申請する交通費申請サーバと、
交通費の申請先である経理サーバと、を有し、
前記端末は、
前記複数の場所の位置が予め登録された場所データベースを具備し、
前記端末の現在の位置を表す位置情報を取得し、
前記端末の現在の位置を基に、前記場所データベースを参照し、前記端末が前記複数の場所のいずれかへ入場したことと、前記複数の場所のいずれかから退場したことと、を判断し、
前記端末の前記複数の場所のいずれかへの入場時に、入場を識別する情報および場所を識別する情報を含む入場情報と、前記端末を識別する端末識別情報と、を前記交通費申請サーバに送信し、
前記端末の前記複数の場所のいずれかからの退場時に、退場を識別する情報および場所を識別する情報を含む退場情報と、前記端末識別情報と、を前記交通費申請サーバに送信し、
前記交通費申請サーバは、
前記複数の場所間の交通費が予め登録された交通費データベースと、
前記端末識別情報に対応付けて、前記端末識別情報と共に受信した前記入場情報および前記退場情報を記憶する記憶部と、を具備し、
前記退場情報を記憶した後、前記退場情報と同一の前記端末識別情報に対応付けて前記入場情報を記憶した場合、前記入場情報および前記退場情報を基に、前記交通費データベースを参照し、前記入場情報および前記退場情報でそれぞれ識別される場所間の交通費を決定し、
前記決定した交通費を申請する交通費申請通知を前記経理サーバに送信する、交通費申請システム。
【請求項２】
予め決められた複数の場所間を移動する利用者が携帯する端末と、
位置情報サーバと、
前記複数の場所間の移動に要する交通費を申請する交通費申請サーバと、
交通費の申請先である経理サーバと、を有し、
前記端末は、
前記端末の現在の位置を表す位置情報を取得し、取得した位置情報と、前記端末を識別する端末識別情報と、を前記位置情報サーバに送信し、
前記位置情報サーバは、
前記複数の場所の位置が予め登録された場所データベースを具備し、
前記端末の現在の位置を基に、前記場所データベースを参照し、前記端末が前記複数の場所のいずれかへ入場したことと、前記複数の場所のいずれかから退場したことと、を判断し、
前記端末の前記複数の場所のいずれかへの入場時に、入場を識別する情報および場所を識別する情報を含む入場情報と、前記端末識別情報と、を前記交通費申請サーバに送信し、
前記端末の前記複数の場所のいずれかからの退場時に、退場を識別する情報および場所を識別する情報を含む退場情報と、前記端末識別情報と、を前記交通費申請サーバに送信し、
前記交通費申請サーバは、
前記複数の場所間の交通費が予め登録された交通費データベースと、
前記端末識別情報に対応付けて、前記端末識別情報と共に受信した前記入場情報および前記退場情報を記憶する記憶部と、を具備し、
前記退場情報を記憶した後、前記退場情報と同一の前記端末識別情報に対応付けて前記入場情報を記憶した場合、前記入場情報および前記退場情報を基に、前記交通費データベースを参照し、前記入場情報および前記退場情報でそれぞれ識別される場所間の交通費を決定し、
前記決定した交通費を申請する交通費申請通知を前記経理サーバに送信する、交通費申請システム。
【請求項３】
前記交通費申請サーバは、
交通費を決定すると、交通費の情報と、交通費の決定に用いた前記入場情報および前記退場情報と、を含み、交通費の確認を依頼する交通費確認通知を、前記端末に送信し、
前記端末から、交通費を承認する交通費承認通知を受信した後に、前記交通費申請通知を前記経理サーバに送信する、請求項１または２に記載の交通費申請システム。
【請求項４】
前記交通費データベースは、
前記複数の場所間のうち複数の移動経路が存在する場所間については、前記複数の移動経路の交通費を登録し、
前記交通費申請サーバは、
前記複数の場所間のうち複数の移動経路が存在する場所間については、前記複数の移動経路の交通費を決定し、
前記複数の移動経路の交通費の情報と、交通費の決定に用いた前記入場情報および前記退場情報と、を含み、交通費の選択および確認を依頼する交通費確認通知を、前記端末に送信し、
前記端末から、交通費を選択し、選択した交通費を承認する交通費承認通知を受信した後に、前記端末が選択した交通費を申請する前記交通費申請通知を前記経理サーバに送信する、請求項１または２に記載の交通費申請システム。
【請求項５】
前記交通費申請サーバは、
交通費の決定に用いた前記入場情報および前記退場情報を前記記憶部から削除する、請求項３または４に記載の交通費申請システム。
【請求項６】
前記交通費申請サーバは、
前記記憶部に記憶された前記退場情報が、交通費の決定に用いられることなく、所定時間が経過した場合、前記退場情報を前記記憶部から削除する、請求項５に記載の交通費申請システム。
【請求項７】
前記交通費申請サーバは、
前記端末の前記端末識別情報に対応付けて、前記端末を携帯する利用者に関連する特定の移動先の位置を表す位置情報が予め登録された端末データベースをさらに具備し、
前記端末は、
前記端末の位置情報と、前記端末識別情報と、を前記交通費申請サーバに送信し、
前記交通費申請サーバは、
前記端末の現在の位置を基に、前記端末データベースを参照し、前記端末が前記特定の移動先へ移動したことを判断し、
前記端末の前記特定の移動先への移動時に、前記端末の前記端末識別情報に対応付けて前記記憶部に記憶した前記退場情報を、前記記憶部から削除する、請求項５に記載の交通費申請システム。
【請求項８】
前記端末は、
前記端末の現在の位置情報を取得する機能が、前記複数の場所間を移動する時のみＯＮされる、請求項５に記載の交通費申請システム。
【請求項９】
予め決められた複数の場所間の交通費が予め登録された交通費データベースと、
端末の前記複数の場所のいずれかへの入場時に、入場を識別する情報および場所を識別する情報を含む入場情報と、前記端末を識別する端末識別情報と、を受信し、前記端末の前記複数の場所のいずれかからの退場時に、退場を識別する情報および場所を識別する情報を含む退場情報と、前記端末識別情報と、を受信する通信部と、
前記端末識別情報に対応付けて、前記端末識別情報と共に受信した前記入場情報および前記退場情報を記憶する記憶部と、
前記退場情報を記憶した後、前記退場情報と同一の前記端末識別情報に対応付けて前記入場情報を記憶した場合、前記入場情報および前記退場情報を基に、前記交通費データベースを参照し、前記入場情報および前記退場情報でそれぞれ識別される場所間の交通費を決定し、決定した交通費を申請する交通費申請通知を経理サーバに送信する制御部と、を有する交通費申請サーバ。
【請求項１０】
前記制御部は、
交通費を決定すると、交通費の情報と、交通費の決定に用いた前記入場情報および前記退場情報と、を含み、交通費の確認を依頼する交通費確認通知を、前記端末に送信し、
前記端末から、交通費を承認する交通費承認通知を受信した後に、前記交通費申請通知を前記経理サーバに送信する、請求項９に記載の交通費申請サーバ。
【請求項１１】
交通費申請サーバによる交通費申請方法であって、
予め決められた複数の場所間の交通費を交通費データベースに予め登録し、
端末の前記複数の場所のいずれかへの入場時に、入場を識別する情報および場所を識別する情報を含む入場情報と、前記端末を識別する端末識別情報と、を受信し、
前記端末識別情報に対応付けて、前記端末識別情報と共に受信した前記退場情報を記憶部に記憶し、
前記端末の前記複数の場所のいずれかからの退場時に、退場を識別する情報および場所を識別する情報を含む退場情報と、前記端末識別情報と、を受信し、
前記端末識別情報に対応付けて、前記端末識別情報と共に受信した前記退場情報を前記記憶部に記憶し、
前記退場情報を記憶した後、前記退場情報と同一の前記端末識別情報に対応付けて前記入場情報を記憶した場合、前記入場情報および前記退場情報を基に、前記交通費データベースを参照し、前記入場情報および前記退場情報でそれぞれ識別される場所間の交通費を決定し、
前記決定した交通費を申請する交通費申請通知を経理サーバに送信する、交通費申請方法。
【請求項１２】
交通費を決定すると、交通費の情報と、交通費の決定に用いた前記入場情報および前記退場情報と、を含み、交通費の確認を依頼する交通費確認通知を、前記端末に送信し、
前記端末から、交通費を承認する交通費承認通知を受信した後に、前記交通費申請通知を前記経理サーバに送信する、請求項１１に記載の交通費申請方法。
【請求項１３】
コンピュータに、
予め決められた複数の場所間の交通費を交通費データベースに予め登録する手順と、
端末の前記複数の場所のいずれかへの入場時に、入場を識別する情報および場所を識別する情報を含む入場情報と、前記端末を識別する端末識別情報と、を受信する手順と、
前記端末識別情報に対応付けて、前記端末識別情報と共に受信した前記退場情報を記憶部に記憶する手順と、
前記端末の前記複数の場所のいずれかからの退場時に、退場を識別する情報および場所を識別する情報を含む退場情報と、前記端末識別情報と、を受信する手順と、
前記端末識別情報に対応付けて、前記端末識別情報と共に受信した前記退場情報を前記記憶部に記憶する手順と、
前記退場情報を記憶した後、前記退場情報と同一の前記端末識別情報に対応付けて前記入場情報を記憶した場合、前記入場情報および前記退場情報を基に、前記交通費データベースを参照し、前記入場情報および前記退場情報でそれぞれ識別される場所間の交通費を決定する手順と、
前記決定した交通費を申請する交通費申請通知を経理サーバに送信する手順と、を実行させるためのプログラム。
【請求項１４】
前記コンピュータに、
交通費を決定すると、交通費の情報と、交通費の決定に用いた前記入場情報および前記退場情報と、を含み、交通費の確認を依頼する交通費確認通知を、前記端末に送信する手順と、
前記端末から、交通費を承認する交通費承認通知を受信した後に、前記交通費申請通知を前記経理サーバに送信する手順と、をさらに実行させるための請求項１３に記載のプログラム。
【発明の詳細な説明】
【技術分野】
【０００１】
本発明は、交通費申請システム、交通費申請サーバ、交通費申請方法、プログラムに関する。
【背景技術】
【０００２】
一般に、企業では、社員が社用（外出、出張等）で移動し、交通費が発生した場合には、社員が交通費を企業側に申請する。
【０００３】
交通費の申請方法の一例として、社員自身が、利用した交通機関、利用区間、運賃等の情報をシステムへ入力し、申請を行うという方法がある。
【０００４】
しかし、上述した方法は、社員が運賃を計算する必要がある等、社員の負担が大きいため、最近は、交通費の申請に際しての社員の負担を低減する技術が提案されている。
【０００５】
例えば、特許文献１に記載の技術は、社員の携帯端末の位置情報および時刻情報の履歴から、社員の移動経路および移動速度を検出し、その検出結果から、社員が利用した交通機関およびその利用区間を特定し、交通費を算出するものである。
【０００６】
また、特許文献２〜４に記載の技術は、交通機関に設置された装置（改札機、券売機等）と連携し、実際の交通機関の利用履歴から、交通費を算出するものである。
【先行技術文献】
【特許文献】
【０００７】
【特許文献１】特開２００４−２８０１５５号公報
【特許文献２】特開２００９−０３７２８９号公報
【特許文献３】特開２０１１−０８６１３７号公報
【特許文献４】特開２０１１−１１８８８６号公報
【発明の概要】
【発明が解決しようとする課題】
【０００８】
ところで、複数の事業所を持つ企業では、社員が事業所間を移動することが多く、そのため、事業所間の移動に要する交通費の申請が多いと考えられる。
【０００９】
ただし、各事業所の位置は予めわかっているため、社員が事業所間を移動する時に利用する交通機関、利用区間、交通費は、企業側である程度把握できるものと考えられる。
【００１０】
しかし、特許文献１に記載の技術は、事業所間の移動の場合も、携帯端末の位置情報および時刻情報の履歴を追跡し、交通機関およびその利用区間を特定する必要があるため、交通費の申請を効率的に行うことができないという問題がある。
【００１１】
また、特許文献２〜４に記載の技術は、システムを構築するためには、交通機関に設置された装置と連携する必要があるという問題がある。
【００１２】
本発明の目的は、上述した課題を解決し、事業所間等、予め決められた場所間の移動に要する交通費の申請を、交通機関に設置された装置と連携することなく、効率的に行うことができる技術を提供することにある。
【課題を解決するための手段】
【００１３】
本発明の第１の交通費申請システムは、
予め決められた複数の場所間を移動する利用者が携帯する端末と、
前記複数の場所間の移動に要する交通費を申請する交通費申請サーバと、
交通費の申請先である経理サーバと、を有し、
前記端末は、
前記複数の場所の位置が予め登録された場所データベースを具備し、
前記端末の現在の位置を表す位置情報を取得し、
前記端末の現在の位置を基に、前記場所データベースを参照し、前記端末が前記複数の場所のいずれかへ入場したことと、前記複数の場所のいずれかから退場したことと、を判断し、
前記端末の前記複数の場所のいずれかへの入場時に、入場を識別する情報および場所を識別する情報を含む入場情報と、前記端末を識別する端末識別情報と、を前記交通費申請サーバに送信し、
前記端末の前記複数の場所のいずれかからの退場時に、退場を識別する情報および場所を識別する情報を含む退場情報と、前記端末識別情報と、を前記交通費申請サーバに送信し、
前記交通費申請サーバは、
前記複数の場所間の交通費が予め登録された交通費データベースと、
前記端末識別情報に対応付けて、前記端末識別情報と共に受信した前記入場情報および前記退場情報を記憶する記憶部と、を具備し、
前記退場情報を記憶した後、前記退場情報と同一の前記端末識別情報に対応付けて前記入場情報を記憶した場合、前記入場情報および前記退場情報を基に、前記交通費データベースを参照し、前記入場情報および前記退場情報でそれぞれ識別される場所間の交通費を決定し、
前記決定した交通費を申請する交通費申請通知を前記経理サーバに送信する。
【００１４】
本発明の第２の交通費申請システムは、
予め決められた複数の場所間を移動する利用者が携帯する端末と、
位置情報サーバと、
前記複数の場所間の移動に要する交通費を申請する交通費申請サーバと、
交通費の申請先である経理サーバと、を有し、
前記端末は、
前記端末の現在の位置を表す位置情報を取得し、取得した位置情報と、前記端末を識別する端末識別情報と、を前記位置情報サーバに送信し、
前記位置情報サーバは、
前記複数の場所の位置が予め登録された場所データベースを具備し、
前記端末の現在の位置を基に、前記場所データベースを参照し、前記端末が前記複数の場所のいずれかへ入場したことと、前記複数の場所のいずれかから退場したことと、を判断し、
前記端末の前記複数の場所のいずれかへの入場時に、入場を識別する情報および場所を識別する情報を含む入場情報と、前記端末識別情報と、を前記交通費申請サーバに送信し、
前記端末の前記複数の場所のいずれかからの退場時に、退場を識別する情報および場所を識別する情報を含む退場情報と、前記端末識別情報と、を前記交通費申請サーバに送信し、
前記交通費申請サーバは、
前記複数の場所間の交通費が予め登録された交通費データベースと、
前記端末識別情報に対応付けて、前記端末識別情報と共に受信した前記入場情報および前記退場情報を記憶する記憶部と、を具備し、
前記退場情報を記憶した後、前記退場情報と同一の前記端末識別情報に対応付けて前記入場情報を記憶した場合、前記入場情報および前記退場情報を基に、前記交通費データベースを参照し、前記入場情報および前記退場情報でそれぞれ識別される場所間の交通費を決定し、
前記決定した交通費を申請する交通費申請通知を前記経理サーバに送信する。
【００１５】
本発明の交通費申請サーバは、
予め決められた複数の場所間の交通費が予め登録された交通費データベースと、
端末の前記複数の場所のいずれかへの入場時に、入場を識別する情報および場所を識別する情報を含む入場情報と、前記端末を識別する端末識別情報と、を受信し、前記端末の前記複数の場所のいずれかからの退場時に、退場を識別する情報および場所を識別する情報を含む退場情報と、前記端末識別情報と、を受信する通信部と、
前記端末識別情報に対応付けて、前記端末識別情報と共に受信した前記入場情報および前記退場情報を記憶する記憶部と、
前記退場情報を記憶した後、前記退場情報と同一の前記端末識別情報に対応付けて前記入場情報を記憶した場合、前記入場情報および前記退場情報を基に、前記交通費データベースを参照し、前記入場情報および前記退場情報でそれぞれ識別される場所間の交通費を決定し、決定した交通費を申請する交通費申請通知を経理サーバに送信する制御部と、を有する。
【００１６】
本発明の交通費申請方法は、
交通費申請サーバによる交通費申請方法であって、
予め決められた複数の場所間の交通費を交通費データベースに予め登録し、
端末の前記複数の場所のいずれかへの入場時に、入場を識別する情報および場所を識別する情報を含む入場情報と、前記端末を識別する端末識別情報と、を受信し、
前記端末識別情報に対応付けて、前記端末識別情報と共に受信した前記退場情報を記憶部に記憶し、
前記端末の前記複数の場所のいずれかからの退場時に、退場を識別する情報および場所を識別する情報を含む退場情報と、前記端末識別情報と、を受信し、
前記端末識別情報に対応付けて、前記端末識別情報と共に受信した前記退場情報を前記記憶部に記憶し、
前記退場情報を記憶した後、前記退場情報と同一の前記端末識別情報に対応付けて前記入場情報を記憶した場合、前記入場情報および前記退場情報を基に、前記交通費データベースを参照し、前記入場情報および前記退場情報でそれぞれ識別される場所間の交通費を決定し、
前記決定した交通費を申請する交通費申請通知を経理サーバに送信する。
【００１７】
本発明のプログラムは、
コンピュータに、
予め決められた複数の場所間の交通費を交通費データベースに予め登録する手順と、
端末の前記複数の場所のいずれかへの入場時に、入場を識別する情報および場所を識別する情報を含む入場情報と、前記端末を識別する端末識別情報と、を受信する手順と、
前記端末識別情報に対応付けて、前記端末識別情報と共に受信した前記退場情報を記憶部に記憶する手順と、
前記端末の前記複数の場所のいずれかからの退場時に、退場を識別する情報および場所を識別する情報を含む退場情報と、前記端末識別情報と、を受信する手順と、
前記端末識別情報に対応付けて、前記端末識別情報と共に受信した前記退場情報を前記記憶部に記憶する手順と、
前記退場情報を記憶した後、前記退場情報と同一の前記端末識別情報に対応付けて前記入場情報を記憶した場合、前記入場情報および前記退場情報を基に、前記交通費データベースを参照し、前記入場情報および前記退場情報でそれぞれ識別される場所間の交通費を決定する手順と、
前記決定した交通費を申請する交通費申請通知を経理サーバに送信する手順と、を実行させるためのプログラムである。
【発明の効果】
【００１８】
本発明によれば、予め決められた場所間の移動に要する交通費の申請を、交通機関に設置された装置と連携することなく、効率的に行うことができるという効果が得られる。
【図面の簡単な説明】
【００１９】
【図１】本発明の第１の実施形態の交通費申請システムの構成の一例を示す図である。
【図２】本発明の第１の実施形態の端末の構成の一例を示すブロック図である。
【図３】本発明の第１および第２の実施形態の事業所ＤＢの一例を示す図である。
【図４】本発明の第１および第２の実施形態の交通費申請サーバの構成の一例を示すブロック図である。
【図５】本発明の第１および第２の実施形態の端末ＤＢの一例を示す図である。
【図６】本発明の第１および第２の実施形態の交通費ＤＢの一例を示す図である。
【図７】本発明の第１および第２の実施形態の一時記憶部において、退場情報が記憶された状態の一例を示す図である。
【図８】本発明の第１および第２の実施形態の一時記憶部において、退場情報および入場情報が記憶された状態の一例を示す図である。
【図９】本発明の第１の実施形態の交通費申請システムの動作の一例を示すシーケンス図である。
【図１０】本発明の第２の実施形態の交通費申請システムの構成の一例を示す図である。
【図１１】本発明の第２の実施形態の端末の構成の一例を示すブロック図である。
【図１２】本発明の第２の実施形態の位置情報サーバの構成の一例を示すブロック図である。
【図１３】本発明の第２の実施形態の交通費申請システムの動作の一例を示すシーケンス図である。
【発明を実施するための形態】
【００２０】
以下に、本発明を実施するための形態について図面を参照して説明する。
【００２１】
なお、以下で説明する全ての図面において、同一の構成要素には同一の符号を付し、適宜説明を省略する。
（１）第１の実施形態
図１に、本実施形態の交通費申請システムの構成の一例を示す。
【００２２】
本実施形態の交通費申請システムは、複数の事業所を持つ企業において、事業所間の移動に要する交通費の申請に利用されるものである。
【００２３】
図１に示すように、本実施形態の交通費申請システムは、端末１０と、交通費申請サーバ２０と、経理サーバ３０と、を有している。なお、図１は、説明の便宜のために、端末１０を１つだけ図示しているが、実際には、端末１０は複数設けられているものとする。
【００２４】
交通費申請サーバ２０は、インターネット等であるネットワーク４０上に配置されている。
【００２５】
端末１０は、不図示の移動通信網等を経由してネットワーク４０に接続することで、ネットワーク４０上の交通費申請サーバ２０と通信可能になる。
【００２６】
交通費申請サーバ２０と経理サーバ３０とは、不図示の社内ＬＡＮ（Local Area Network）等を経由して接続されている。
【００２７】
端末１０は、事業所間を移動する社員が携帯する端末である。
【００２８】
交通費申請サーバ２０は、社員の事業所間の移動に要する交通費を申請するサーバである。
【００２９】
経理サーバ３０は、交通費の申請先となるサーバである。
【００３０】
図２に、本実施形態の端末１０の構成の一例を示す。
【００３１】
図２に示すように、本実施形態の端末１０は、通信部１１と、事業所ＤＢ（Database）１２と、位置情報取得部１３と、制御部１４と、を有している。
【００３２】
通信部１１は、外部装置との通信時のインターフェースとなる部分である。
【００３３】
事業所ＤＢ１２は、図３に示すように、複数の事業所のそれぞれの位置を示す位置情報が予め登録されたデータベースである。事業所ＤＢ１２は、場所データベースの一例である。なお、図３では、事業所の位置情報は、緯度／経度の情報であるが、本発明はこれに限定されない。
【００３４】
位置情報取得部１３は、端末１０の現在の位置を示す位置情報を取得する位置情報取得機能（例えば、ＧＰＳ（Global Positioning System）機能等）を備えている。
【００３５】
制御部１４は、位置情報取得部１３が取得した端末１０の現在の位置情報を基に、事業所ＤＢ１２を参照し、端末１０の現在の位置がいずれかの事業所の位置から所定範囲内に位置している場合には、その事業所内に位置していると判断する。
【００３６】
これを利用して制御部１４は、端末１０が、ある事業所の位置から所定範囲に入った場合には、その事業所に入場したと判断し、その所定範囲から出た場合には、その事業所を退場したと判断する。
【００３７】
制御部１４は、端末１０がいずれかの事業所から退場したと判断した場合、交通費申請サーバ２０に対し、退場情報と、端末１０を識別する端末識別情報と、を送信する。退場情報には、退場を識別する情報、退場した事業所を識別する事業所識別情報、時刻情報が含まれる。
【００３８】
また、制御部１４は、端末１０がいずれかの事業所に入場したと判断した場合、交通費申請サーバ２０に対し、入場情報と、端末１０を識別する端末識別情報と、を送信する。入場情報には、入場を識別する情報、入場した事業所を識別する事業所識別情報、時刻情報が含まれる。
【００３９】
図４に、本実施形態の交通費申請サーバ２０の構成の一例を示す。
【００４０】
図４に示すように、本実施形態の交通費申請サーバ２０は、通信部２１と、端末ＤＢ２２と、交通費ＤＢ２３と、一時記憶部２４と、制御部２５と、を有している。
【００４１】
通信部２１は、外部装置との通信時のインターフェースとなる部分である。
【００４２】
端末ＤＢ２２は、図５に示すように、端末１０の端末識別情報ごとに、その端末識別情報に対応付けて、端末１０や端末１０を携帯する社員に関連する情報等が予め登録されたデータベースである。なお、図５では、端末識別情報は、ＩＭＥＩ（International Mobile Equipment Identity）、ＩＭＳＩ（International Mobile Subscriber Identity）等を想定している。また、図５では、端末ＤＢ２２は、端末１０を携帯する社員の社員名、端末１０の電話番号およびメールアドレスの情報が登録されている。
【００４３】
交通費ＤＢ２３は、図６に示すように、事業所間の交通費の情報が予め登録されたデータベースである。
【００４４】
一時記憶部２４は、端末１０の端末識別情報ごとに、その端末識別情報に対応付けて、その端末識別情報と共に受信した入場情報および退場情報を一時的に記憶する。
【００４５】
制御部２５は、端末１０から退場情報と端末識別情報とを受信した場合、例えば、図７に示すように、端末１０の退場情報を、端末１０の端末識別情報と対応付けて、一時記憶部２４に一時的に記憶する。
【００４６】
また、制御部２５は、端末１０から入場情報と端末識別情報とを受信した場合、例えば、図８に示すように、端末１０の入場情報を、端末１０の端末識別情報と対応付けて、一時記憶部２４に一時的に記憶する。
【００４７】
制御部２５は、退場情報を記憶した後に、その退場情報と同一の端末識別情報に対応付けて入場情報を記憶した場合（図８の状態）、退場情報および入場情報を基に、交通費ＤＢ２３を参照し、退場情報および入場情報でそれぞれ識別される２つの事業所間の交通費を決定する。
【００４８】
制御部２５は、交通費を決定すると、端末１０に対し、交通費の確認を依頼する交通費確認依頼通知を送信する。交通費確認依頼通知には、交通費の情報、交通費の決定に用いた退場情報および入場情報が含まれる。
【００４９】
制御部２５は、端末１０から、交通費を承認する交通費承認通知を受信すると、経理サーバ３０に対し、その交通費を申請する交通費申請通知を送信する。
【００５０】
経理サーバ３０は、交通費申請サーバ２０から交通費申請通知を受信すると、その交通費の精算を行う。なお、経理サーバ３０における交通費の精算処理は、本発明の本質的な部分ではなく、各種の公知の技術を利用することができる。そのため、経理サーバ３０の構成および動作に関する詳細な説明は省略する。
【００５１】
以下、本実施形態の交通費申請システムの動作について説明する。
【００５２】
図９に、本実施形態の交通費申請システムの動作の一例を示す。
【００５３】
図９に示すように、端末１０は、社員によって位置情報取得部１３の位置情報取得機能が予めＯＮにされる（ステップＳ１０１）。
【００５４】
以降、端末１０の制御部１４は、位置情報取得部１３が取得した端末１０の現在の位置情報を基に、事業所ＤＢ１２を参照し、端末１０がいずれかの事業所を退場したことと、いずれかの事業所に入場したことと、を判断する。
【００５５】
端末１０の制御部１４は、端末１０がいずれかの事業所を退場したと判断した場合（ステップＳ１０２）、交通費申請サーバ２０に対し、退場情報と、端末１０を識別する端末識別情報と、を送信する（ステップＳ１０３）。退場情報には、退場を識別する情報、退場した事業所を識別する事業所識別情報、時刻情報が含まれる。
【００５６】
交通費申請サーバ２０の制御部２５は、端末１０から退場情報と端末識別情報とを受信すると、端末１０の端末識別情報に対応付けて、端末１０の退場情報を、一時記憶部２４に一時的に記憶する（ステップＳ１０４）。
【００５７】
また、端末１０の制御部１４は、端末１０がいずれかの事業所に入場したと判断した場合（ステップＳ１０５）、交通費申請サーバ２０に対し、入場情報と、端末１０を識別する端末識別情報と、を送信する（ステップＳ１０６）。入場情報には、入場を識別する情報、入場した事業所を識別する事業所識別情報、時刻情報が含まれる。
【００５８】
交通費申請サーバ２０の制御部２５は、端末１０から入場情報と端末識別情報とを受信すると、端末１０の端末識別情報に対応付けて、端末１０の入場情報を、一時記憶部２４に一時的に記憶する（ステップＳ１０７）。
【００５９】
その結果、交通費申請サーバ２０の一時記憶部２４において、既に記憶していた退場情報と同一の端末識別情報に対応付けられる入場情報が記憶されたとする。
【００６０】
その場合、交通費申請サーバ２０の制御部２５は、同一の端末識別情報に対応付けられる入場情報および退場情報を基に、交通費ＤＢ２３を参照し、これら入場情報および退場情報でそれぞれ識別される２つの事業所間の交通費を決定する（ステップＳ１０８）。
【００６１】
次に、交通費申請サーバ２０の制御部２５は、端末１０の端末識別情報を基に、端末ＤＢ２２を参照し、端末１０のメールアドレスを抽出する。そして、制御部２５は、端末１０のメールアドレス宛に、交通費の確認を依頼する交通費確認依頼通知を送信する（ステップＳ１０９）。交通費確認依頼通知には、交通費の情報、交通費の決定に用いた退場情報および入場情報が含まれる。
【００６２】
端末１０の制御部１４は、交通費申請サーバ２０から交通費確認依頼通知を受信すると、その交通費確認依頼通知に含まれる交通費の情報、退場情報、入場情報を不図示の表示部に表示する等して、端末１０を携帯する社員に交通費の承認を求める。社員が不図示の操作部を介して交通費を承認する操作を行うと、端末１０の制御部１４は、交通費申請サーバ２０に対し、交通費を承認する交通費承認通知を送信する（ステップＳ１１０）。
【００６３】
交通費申請サーバ２０の制御部２５は、端末１０から交通費承認通知を受信すると、経理サーバ３０に対し、交通費を申請する交通費申請通知を送信する（ステップＳ１１１）。これを受けて、経理サーバ３０は、交通費の精算を行う。
【００６４】
なお、交通費の決定に用いた退場情報および入場情報は、一時記憶部２４から削除するものとする。なお、削除のタイミングは、ステップＳ１１０で交通費承認通知を受信した後であれば、任意のタイミングで良く、例えば、ステップＳ１１１で交通費申請通知を送信した後のタイミング等が考えられる。
【００６５】
また、一時記憶部２４においては、退場情報を記憶する前に、入場情報を記憶することも当然に想定される。しかし、その入場情報は、事業所間を移動した後の入場に関する情報ではないため、交通費の決定には用いられることはない。そのため、その入場情報は、任意のタイミングで一時記憶部２４から削除するものとする。
【００６６】
上述したように本実施形態においては、交通費申請サーバ２０は、事業所間の交通費を交通費ＤＢ２３に予め登録しておき、事業所の退場情報を記憶した後、その退場情報と同一の端末識別情報に対応付けて事業所の入場情報を記憶した場合、交通費ＤＢ２３を参照して、入場情報および退場情報でそれぞれ識別される２つの事業所間の交通費を決定し、決定した交通費を経理サーバ３０に申請する。
【００６７】
そのため、事業所間の移動に要する交通費の申請を、交通機関に設置された装置と連携することなく、効率的に行うことができるという効果が得られる。
【００６８】
また、交通費申請サーバ２０は、交通費を決定すると、端末１０に交通費の確認を依頼し、交通費が承認された後に、交通費を経理サーバ３０に申請する。
【００６９】
そのため、交通費の不適正な申請や申請漏れが生じることを回避することができるという効果が得られる。
（２）第２の実施形態
第１の実施形態においては、端末１０自身が、自身の位置情報を基に、事業所への入場および事業所からの退場を判断していた。
【００７０】
これに対して本実施形態においては、端末１０は、自身の位置情報をネットワーク４０上に送信することのみを行い、ネットワーク４０側で、端末１０の事業所への入場および事業所からの退場を判断する。
【００７１】
図１０に、本実施形態の交通費申請システムの構成の一例を示す。
【００７２】
図１０に示すように、本実施形態の交通費申請システムは、図１に示した第１の実施形態と比較して、位置情報サーバ５０を追加した点が異なる。
【００７３】
位置情報サーバ５０は、ネットワーク４０上に配置されており、端末１０の位置情報を基に、端末１０がいずれかの事業所に入場したことと、いずれかの事業所を退場したことと、を判断する。
【００７４】
図１１に、本実施形態の端末１０の構成の一例を示す。
【００７５】
図１１に示すように、本実施形態の端末１０は、図２に示した第１の実施形態と比較して、事業所ＤＢ１２を削除した点が異なる。
【００７６】
制御部１４は、第１の実施形態とは異なり、端末１０の事業所への入場および事業所からの退場を判断する必要がない。そのため、制御部１４は、位置情報取得部１３が取得した端末１０の位置情報と、端末１０を識別する端末識別情報と、を位置情報サーバ５０に送信する。
【００７７】
図１２に、本実施形態の位置情報サーバ５０の構成の一例を示す。
【００７８】
図１２に示すように、本実施形態の位置情報サーバ５０は、通信部５１と、事業所ＤＢ５２と、制御部５３と、を有している。
【００７９】
通信部５１は、外部装置との通信時のインターフェースとなる部分である。
【００８０】
事業所ＤＢ５２は、図２に示した事業所ＤＢ１２と同様のデータベースであり、図３に示したように、複数の事業所のそれぞれの位置を示す位置情報が予め登録されている。
【００８１】
制御部５３は、端末１０から受信した現在の位置情報を基に、事業所ＤＢ５２を参照することで、端末１０がいずれかの事業所に入場したことと、いずれかの事業所を退場したことと、を判断する。このときの判断手法は、図２に示した制御部１４と同様の手法が利用できる。
【００８２】
制御部５３は、端末１０がいずれかの事業所から退場したと判断した場合、交通費申請サーバ２０に対し、退場情報と、端末１０を識別する端末識別情報と、を送信する。退場情報には、退場を識別する情報、退場した事業所を識別する事業所識別情報、時刻情報が含まれる。
【００８３】
また、制御部５３は、端末１０がいずれかの事業所に入場したと判断した場合、交通費申請サーバ２０に対し、入場情報と、端末１０を識別する端末識別情報と、を送信する。入場情報には、入場を識別する情報、入場した事業所を識別する事業所識別情報、時刻情報が含まれる。
【００８４】
本実施形態は、上記以外の構成は第１の実施形態と同様である。
【００８５】
以下、本実施形態の交通費申請システムの動作について説明する。
【００８６】
図１３に、本実施形態の交通費申請システムの動作の一例を示す。
【００８７】
図１３に示すように、端末１０の制御部１４は、ステップＳ１０１において、位置情報取得部１３の位置情報取得機能がＯＮされた後、位置情報取得部１３が取得した端末１０の現在の位置情報と、端末１０を識別する端末識別情報と、の位置情報サーバ５０への送信を継続的に行う（ステップＳ２０１）。なお、位置情報サーバ５０への送信は、定期的に行っても良いし、一定以上の距離を移動する度に行っても良い。
【００８８】
以降、位置情報サーバ５０の制御部５３は、端末１０から受信した現在の位置情報を基に、事業所ＤＢ５２を参照し、端末１０がいずれかの事業所を退場したことと、いずれかの事業所に入場したことと、を判断する。
【００８９】
位置情報サーバ５０の制御部５３は、端末１０がいずれかの事業所を退場したと判断した場合（ステップＳ２０２）、交通費申請サーバ２０に対し、退場情報と、端末１０を識別する端末識別情報と、を送信する（ステップＳ２０３）。退場情報には、退場を識別する情報、退場した事業所を識別する事業所識別情報、時刻情報が含まれる。
【００９０】
また、位置情報サーバ５０の制御部５３は、端末１０がいずれかの事業所に入場したと判断した場合（ステップＳ２０４）、交通費申請サーバ２０に対し、入場情報と、端末１０を識別する端末識別情報と、を送信する（ステップＳ２０５）。入場情報には、入場を識別する情報、入場した事業所を識別する事業所識別情報、時刻情報が含まれる。
【００９１】
本実施形態は、上記以外の動作は第１の実施形態と同様である。
【００９２】
本実施形態の効果は第１の実施形態と同様である。
（３）本発明の変形例
以上、実施形態を参照して本発明を説明したが、本発明は上記実施形態に限定されるものではない。本発明の構成や詳細には、本発明の範囲内で当業者が理解し得る様々な変更をすることができる。
【００９３】
例えば、上記実施形態においては、交通費の決定に用いた退場情報および入場情報は、一時記憶部２４から削除すると説明した。また、退場情報を記憶する前に記憶した入場情報も、一時記憶部２４から削除すると説明した。
【００９４】
しかし、退場情報に関して、社員は、事業所を退場した後、他の事業所へ入場しない場合もある（例えば、そのまま帰宅する場合）。この場合、一時記憶部２４は、不要な退場情報を記憶し続けることになるため、一時記憶部２４の容量が圧迫されることになる。
【００９５】
一時記憶部２４の容量が不要な退場情報によって圧迫されることを回避する方法としては、以下の第１〜第３の方法が考えられる。
・第１の方法
交通費申請サーバ２０の制御部２５は、一時記憶部２４に記憶された退場情報が、交通費の決定に用いられることなく、所定時間が経過した場合、その退場情報を一時記憶部２４から削除する。所定時間は、例えば、退場情報で識別される事業所から最も移動時間が長い事業所までの移動時間に、一定時間を付け加えた時間とすることが考えられる。
・第２の方法
交通費申請サーバ２０の端末ＤＢ２２は、端末１０を携帯する社員の自宅の位置情報を登録する。端末１０の制御部１４は、自身の位置情報と端末識別情報とを交通費申請サーバ２０に送信する。交通費申請サーバ２０の制御部２５は、端末１０の現在の位置情報を基に、端末ＤＢ２２を参照し、端末１０の現在の位置が自宅の位置から所定範囲内に位置しているか判断する。位置する場合には、制御部２５は、社員が帰宅したため、他の事業所へは移動しないと判断し、端末１０の端末識別情報と対応付けて記憶した退場情報を一時記憶部２４から削除する。なお、端末ＤＢ２２に登録する位置は、自宅に限定されず、端末１０を携帯する社員に関連する特定の移動先（例えば、親戚、友人の家等）であれば良い。この構成でも、特定の移動先の位置に移動した場合は、他の事業所へは移動しないと判断することができる。
・第３の方法
社員は、端末１０の位置情報取得部１３の位置情報取得機能を、事業所間の移動の時のみＯＮする。この方法では、社員が帰宅する場合は、第１の実施形態では端末１０から退場情報が送信されず、また、第２の実施形態では端末１０から位置情報が送信されない。そのため、退場情報が一時記憶部２４に記憶されることがない。
【００９６】
また、上記実施形態においては、事業所間の移動経路は１つであることを想定し、交通費申請サーバ２０の交通費ＤＢ２３には、事業所間の交通費を１つだけ登録していた。しかし、例えば、事業所の最寄り駅が２駅以上ある場合、どの駅を利用するかで、事業所間の移動経路は異なり、また、移動経路に応じて交通費も異なる。そこで、複数の移動経路が存在する事業所間の場合、以下のようにしても良い。交通費ＤＢ２３には、複数の移動経路の交通費を予め登録し、制御部２５は、複数の移動経路の交通費を決定する。制御部２５は、複数の移動経路の交通費の情報を交通費確認依頼通知に含め、交通費の選択および確認を端末１０に依頼する。そして、制御部２５は、端末１０から、交通費を選択し、選択した交通費を承認する交通費承認通知を受信すると、端末１０が選択した交通費を経理サーバ３０に申請する。
【００９７】
また、上記実施形態においては、交通費申請サーバ２０の制御部２５は、交通費を決定する度に、端末１０に対し、交通費確認依頼通知を送信することを想定したが、本発明はこれに限定されない。制御部２５は、複数回分の交通費の確認依頼を、１回の交通費確認依頼通知でまとめて行っても良い。この場合、交通費確認依頼通知を送信するタイミングは、月末等の予め決められたタイミング等が考えられる。
【００９８】
また、上記実施形態においては、端末１０の端末識別情報は、ＩＭＥＩ、ＩＭＳＩ等であることを想定したが、本発明はこれに限定されない。端末１０の端末識別情報は、電話番号やメールアドレス等、端末１０を識別する情報であれば良い。
【００９９】
また、上記実施形態においては、複数の事業所を持つ企業において、社員が事業所間を移動する場合に本発明を利用した例について説明した。しかし、本発明は、これに限定されず、利用者が予め決められた場所間を移動する場合に利用できる。この場合、事業所ＤＢの代わりに、予め決められた複数の場所の位置を示す位置情報を登録する場所ＤＢを設け、交通費ＤＢには、場所間の交通費の情報を登録する。
【０１００】
例えば、事業所を１つだけ持つ企業において、社員が良く訪問する客先があるとする。この場合、客先の位置情報を場所ＤＢに予め登録し、客先までの移動に要する交通費を交通費ＤＢに予め登録しておけば、本発明を利用して、その客先への交通費を申請することができる。
【０１０１】
また、上記第２の実施形態では、交通費申請サーバ２０と位置情報サーバ５０とを別々に設けていたが、位置情報サーバ５０の機能を交通費申請サーバ２０が備えることとして、交通費申請サーバ２０に一体化しても良い。
【０１０２】
また、本発明の交通費申請サーバ２０にて行われる方法は、コンピュータに実行させるためのプログラムに適用しても良い。また、そのプログラムを記憶媒体に格納することも可能であり、ネットワークを介して外部に提供することも可能である。
【符号の説明】
【０１０３】
１０    端末
１１    通信部
１２    事業所ＤＢ
１３    位置情報取得部
１４    制御部
２０    交通費申請サーバ
２１    通信部
２２    端末ＤＢ
２３    交通費ＤＢ
２４    一時記憶部
２５    制御部
３０    経理サーバ
４０    ネットワーク
５０    位置情報サーバ
５１    通信部
５２    事業所ＤＢ
５３    制御部
【図２】
2015170346.tif 000003
【図３】
2015170346.tif 000004
【図４】
2015170346.tif 000005
【図５】
2015170346.tif 000006
【図６】
2015170346.tif 000007
【図７】
2015170346.tif 000008
【図８】
2015170346.tif 000009
【図９】
2015170346.tif 000010
【図１１】
2015170346.tif 000011
【図１２】
2015170346.tif 000012
【図１３】
2015170346.tif 000013
【図１】
2015170346.tif 000014
【図１０】
2015170346.tif 000015